(57)【特許請求の範囲】
【請求項１】
地中に挿して立設する支柱の上部に取付横杆を設け、この取付横杆の前後に軸受孔を形成してこの前後の軸受孔に金属製の回転軸の両端部を軸支し、この前後の軸受孔のいずれか一方の孔径幅を、前記回転軸がガタつき揺動する径幅に形成し、この回転軸の先端に風を受けると回転する回転羽根車を連結し、この回転軸の少なくとも所定長さ部分を断面角形杆状に形成し、この回転軸の角形杆状部に、この角形杆状部に間隔を介存せしめて被嵌し得る金属製の筒体を被嵌して、回転羽根車により回転軸が回転することによって回転軸の角形杆状部と金属製筒体の内周面とにガタつき振動が生じて支柱中を介して地中に振動が伝達されると共に金属振動音も鳴るように構成し、この取付横杆の基端部に垂直尾翼を設けたことを特徴とする鳥・もぐら避け装置。
【発明の詳細な説明】
【０００１】
【発明が属する技術分野】
本発明は、田畑などを荒らす鳥やもぐらの侵入を防止するための鳥・もぐら避け装置に関するものである。
【０００２】
【従来の技術及び発明が解決しようとする課題】
従来のもぐら避け装置としては、例えば特公昭５７−５１３０号に示すように、地中に立設する支柱の上部に水平回転自在に設ける取付横杆の先端に、中心部に金属製ブッシュを嵌合固着した回転羽根車をこの金属製ブッシュに金属製回転軸を挿通して回転自在に支持すると共に、金属製回転軸と金属製ブッシュとの間に適当な間隙を設けることにより金属製回転軸に対し回転羽根車がその回転に伴って適当量傾斜揺動し得るように構成し、この取付横杆の基端に垂直尾翼を設けて構成するものがあり、このもぐら避け装置の支柱を田畑などの地面に挿して立設しておくと、垂直尾翼が風を受けることによって横杆が回動して先端の回転羽根車が常に風向きに沿った状態に保たれ、この回転羽根車が風を受けて回転する際、金属製ブッシュが金属製回転軸に対し間隙を有しているため、回転羽根車が傾きを常に変化させながら回転してガラガラと連続した金属接触音を発生し、この金属接触音が鳥追い効果を発揮すると共に、金属接触音が支柱中を介して地中に伝達されることによりもぐら駆除効果を発揮する構造であった。
【０００３】
しかしながら、このような回転する回転羽根車自体が金属製回転軸に対して傾動してガタつくことにより金属製回転軸の軸受である金属製ブッシュと金属製回転軸とが金属接触音を発生する構成では、十分な振動も大きな金属振動音も生じ得ず、そのためもぐら駆除効果も鳥追い効果も十分でなかった。また、回転羽根車自体が傾動することが回転の支障となってしまうため回転羽根車の回転効率が悪い上に、製作も非常に厄介であるなどの欠点があった。
【０００４】
本発明は、このような従来のもぐら避け装置の欠点を見い出し、良好な振動を生じ得ると共に大きな振動音を鳴らすことができ、しかも回転羽根車が非常に効率良く回転し得る非常に簡易な構造で製作容易な画期的な鳥・もぐら避け装置を提供するものである。
【０００５】
【課題を解決するための手段】
添付図面を参照して本発明の要旨を説明する。
【０００６】
地中に挿して立設する支柱１の上部に取付横杆２を設け、この取付横杆２の前後に軸受孔７を形成してこの前後の軸受孔７に金属製の回転軸３の両端部を軸支し、この前後の軸受孔７のいずれか一方の孔径幅を、前記回転軸３がガタつき揺動する径幅に形成し、この回転軸３の先端に風を受けると回転する回転羽根車４を連結し、この回転軸３の少なくとも所定長さ部分を断面角形杆状に形成し、この回転軸３の角形杆状部３Ａに、この角形杆状部３Ａに間隔を介存せしめて被嵌し得る金属製の筒体５を被嵌して、回転羽根車４により回転軸３が回転することによって回転軸３の角形杆状部３Ａと金属製筒体５の内周面とにガタつき振動が生じて支柱１中を介して地中に振動が伝達されると共に金属振動音も鳴るように構成し、この取付横杆２の基端部に垂直尾翼６を設けたことを特徴とする鳥・もぐら避け装置に係るものである。
【０００７】
【発明の実施の形態】
最良と考える本発明の実施の形態（発明をどのように実施するか）を、図面に基づいてその作用効果を示して簡単に説明する。
【０００８】
田畑などの地面に支柱１を挿して立設し、本装置を設置する。
【０００９】
本装置の垂直尾翼６が風を受けると、取付横杆２が回転し、この取付横杆２の先端部の回転羽根車４が常に風向に対向する状態に保持されるから、この回転羽根車４が非常に効果的に風力を受けて回転することとなる。
【００１０】
この際、従来例のように回転羽根車自体が傾動するような構成でなく、回転軸３を取付横杆２に架設してこの回転軸３が安定的に効率良く回転し得る構成として、この回転軸３の先端に回転羽根車４を連結しているから、回転羽根車４が非常に効率良く回転作動することとなる。
【００１１】
この回転する回転軸３の所定長さ部分を断面角形杆状に形成し、この角形杆状部３Ａに金属製の筒体５を被嵌しているから、回転羽根車４により回転軸３が回転することによって回転軸３の角形杆状部３Ａと金属製筒体５の内周面とに良好なガタつき振動が生じ、支柱１中を介して地中にこの振動が伝達されることによって秀れたもぐら駆除効果を発揮すると共に、この金属製筒体５の振動により大きな金属振動音が鳴って秀れた害鳥駆除効果を発揮することになる。
【００１２】
【実施例】
本発明の具体的な実施例について図面に基づいて説明する。
【００１３】
本実施例は、地中に立設する支柱１の上端部に回転羽根車４を取り付ける取付横杆２を水平回転自在に軸着し、この取付横杆２の立設片２Ｂ側となる基端に垂直尾翼６を付設している。図中符号11は支柱１と取付横杆２との取付軸である。
【００１４】
本実施例の支柱１は、途中部に継合部（図示省略）を設けて二体に分割できる構成とし、パッケージへの商品収納や持ち運びに便利となるようにしている。
【００１５】
取付横杆２は、前後に立設片２Ａ・２Ｂを形成したコ字状の板材で形成し、このコ字状の取付横杆２の前後の立設片２Ａ・２Ｂに夫々金属製の回転軸３を軸支し得る軸受孔７を形成している。
【００１６】
図面の回転軸３は、前後両端部を各軸受孔７に軸支挿通する細杆部に形成し、この前後両端部を除く中間部の所定長さ部分を断面四角形杆状の角形杆状部３Ａに形成した場合を図示している。この角形杆状部３Ａは、角形であれば特に四角形状である必要はない。また、この角形杆状部３Ａは、長尺な長さを有せずとも良く、回転軸３の一部分だけを角形杆状に形成して構成しても良いし、回転軸３をネジ杆に形成してこのネジ杆にナットを一個乃至は複数個螺着係止し、このナットを角形杆状部３Ａとして構成しても良い。
【００１７】
この回転軸３に、角形杆状部３Ａと適当な間隔を介存せしめて被嵌し得る金属製の筒体５を被嵌し、この回転軸３の細杆状の両端部を夫々前記取付横杆２の前後の軸受孔７に軸支して回転軸３を取付横杆２に回転自在に架設し、この回転軸３が回転すると回転軸３の角形杆状部３Ａと金属製筒体５の内周面とにガタつき振動が生じ、金属製筒体５が振動しながら回転してその金属振動音を発するように構成している。
【００１８】
また、本実施例は、前後の各軸受孔７を回転軸３の前後端部の細杆が余裕をもって挿通され得る径幅を有するように形成し、これにより回転軸３回転時にこの回転軸３がややガタつき揺動してこの回転軸３に被嵌した金属製筒体５が一層良好に振動するように構成している。尚、前後いずれか一方の軸受孔７だけを大きい径幅を有する孔に形成して構成しても上記同様の効果が得られる。
【００１９】
本実施例は、この取付横杆２の立設片２Ａの軸受孔７から前方へ突出する回転軸３の前端部を更に前方へ延長してその延長杆部をネジ杆３Ｂに形成し、単にこのネジ杆３Ｂにナット８を螺着し、このナット８の前側のネジ杆３Ｂに座金９，回転羽根車４の順序で取り付けて、この回転羽根車４の前側からネジ杆３Ｂに蝶ナット10を螺着して回転羽根車４を締め付け固定する構成とし、これにより回転羽根車４の取り付け作業を容易に行い得るように構成している。
【００２０】
従って、支柱１を田畑に挿して立設して本装置を設置し、この本装置の回転羽根車４が風を受けて回転することにより回転軸３が回転すると、この回転軸３の角形杆状部３Ａと金属製筒体５の内周面とにガタつき振動が生じて支柱１中を介して地中に振動が伝達され、これによりこの田畑付近にもぐらが侵入することを防止すると共に、この回転軸３の角形杆状部３Ａと金属製筒体５の内周面との金属振動音が鳴ることにより鳥の侵入も防止することとなる。
【００２１】
また、この回転軸３の回転により振動しながら回転する金属製筒体５の外周面が太陽光線を受けると、この外周面の光沢によりその光線を乱反射することとなり、この乱反射光線と前記金属振動音とにより良好な鳥追い効果が発揮されることとなる。
【００２２】
尚、各部の構成部材などは適宜設計変更可能であるが、例えばアルミニウム材などの軽量で防錆性の高い構成材を多く用いて構成すると、商品性に秀れることとなる。
【００２３】
【発明の効果】
本発明は上述のように、回転軸の少なくとも所定長さ部分を断面角形杆状に形成し、この回転軸の角形杆状部に、この角形杆状部に間隔を介存せしめて被嵌し得る金属製の筒体を被嵌して回転羽根車により回転軸が回転することによって回転軸の角形杆状部と金属製筒体の内周面とにガタつき振動が生じると共に金属振動音も鳴るように構成しているから、回転する回転軸の角形杆状部と金属製筒体の内周面とによって非常に良好な振動が生じ、また、前後の軸受孔のいずれか一方の孔径幅を、回転軸がガタつき揺動する径幅に形成したことで、回転軸も回転時にガタつき揺動してこの回転軸に被嵌した金属製筒体が良好に振動するため、この良好な振動が支柱中を介して地中に伝達されることによって秀れたもぐら駆除効果を発揮し得ると共に、この振動による金属振動音も非常に大きく鳴るため秀れた鳥駆除効果を発揮し得、しかも従来例のように回転羽根車自体が傾動するような構造でなく、回転軸を取付横杆の前後の軸受孔に軸支してこの回転軸が安定的に効率よく回転し得る構成として、この回転軸の先端に回転羽根車を連結しているから回転羽根車が非常に効率良く回転作動し得ることとなり、且つ非常に簡易な構成であるため製作容易で量産性に秀れるなど極めて実用性に秀れた鳥・もぐら避け装置となる。
【図面の簡単な説明】
【図１】  本実施例の外観斜視図である。
【図２】  本実施例の要部の前側部を示す側面図である。
【図３】  本実施例の要部の後側部を示す側面図である。
【符号の説明】
１  支柱
２  取付横杆
３  回転軸
３Ａ  角形杆状部
４  回転羽根車
５  筒体
６  垂直尾翼
７ 軸受孔
【図１】
0003667395.tif 000002
【図２】
0003667395.tif 000003
【図３】
0003667395.tif 000004